(57)【要約】【課題】  画像の表示に伴なって各電極に蓄積された電荷を充分に除去する。【解決手段】  表示の停止を指示する表示停止信号が入力されると、制御装置１は、画素電極４１３に供給される画像信号の電圧と対向電極４２１への印加電圧とを略同電圧に変化させ、画像信号の電圧と対向電極４２１への印加電圧とが略同電圧となった後に走査線駆動回路６１による選択が総ての走査線４１１について実行されてから、走査線駆動回路６１およびデータ線駆動回路６３の動作を停止させる。そして、制御装置１は、走査線駆動回路６１およびデータ線駆動回路６３の動作が停止された後に、これらの駆動回路に対する給電を停止する。【選択図】        図４
2005134458.tif 000002
【特許請求の範囲】
【請求項１】
複数の走査線および複数のデータ線の各交差に設けられたスイッチング素子を介して前
記走査線および前記データ線に電気的に接続された複数の画素電極と、電気光学物質を挟
んで前記複数の画素電極に対向する対向電極と、前記複数の走査線の各々を順次に選択し
て当該走査線に対応するスイッチング素子をオン状態とする走査線駆動回路と、前記走査
線駆動回路によりオン状態とされているスイッチング素子に接続された画素電極に対して
前記データ線および前記スイッチング素子を介して画像信号を供給するデータ線駆動回路
とを具備する電気光学装置を制御する方法において、
表示の停止を指示する表示停止信号が入力されると、前記画素電極に供給される画像信
号の電圧と前記対向電極への印加電圧とを略同電圧に変化させ、
前記画像信号の電圧と前記対向電極への印加電圧とが略同電圧とされた後に前記走査線
駆動回路による選択が総ての走査線について実行されてから、前記走査線駆動回路および
前記データ線駆動回路の動作を停止させ、
前記走査線駆動回路および前記データ線駆動回路の動作が停止された後に、これらの駆
動回路に対する給電を停止する
電気光学装置の制御方法。
【請求項２】
複数の走査線および複数のデータ線の各交差に設けられたスイッチング素子を介して前
記走査線および前記データ線に電気的に接続された複数の画素電極と、電気光学物質を挟
んで前記複数の画素電極に対向する対向電極と、前記複数の走査線の各々を順次に選択し
て当該走査線に対応するスイッチング素子をオン状態とする走査線駆動回路と、前記走査
線駆動回路によりオン状態とされているスイッチング素子に接続された画素電極に対して
前記データ線および前記スイッチング素子を介して画像信号を供給するデータ線駆動回路
とを具備する電気光学装置を制御する方法において、
表示の開始を指示する表示開始信号が入力されると、前記画素電極に供給される画像信
号の電圧と前記対向電極への印加電圧とが略同電圧である状態において前記走査線駆動回
路による選択が総ての走査線について実行されてから、当該走査線駆動回路および前記デ
ータ線駆動回路の動作を停止させ、
前記走査線駆動回路および前記データ線駆動回路の動作が停止された後に、前記対向電
極への印加電圧を所定値に向けて変化させ、
前記対向電極への印加電圧が前記所定値に到達した後に前記走査線駆動回路および前記
データ線駆動回路の動作を開始させる
電気光学装置の制御方法。
【請求項３】
複数の走査線および複数のデータ線の各交差に設けられたスイッチング素子を介して前
記走査線および前記データ線に電気的に接続された複数の画素電極と、電気光学物質を挟
んで前記複数の画素電極に対向する対向電極と、前記複数の走査線の各々を順次に選択し
て当該走査線に対応するスイッチング素子をオン状態とする走査線駆動回路と、前記走査
線駆動回路によりオン状態とされているスイッチング素子に接続された画素電極に対して
前記データ線および前記スイッチング素子を介して画像信号を供給するデータ線駆動回路
とを具備する電気光学装置を制御する装置において、
表示の停止を指示する表示停止信号が入力されると、前記画素電極に供給される画像信
号の電圧と前記対向電極への印加電圧とを略同電圧に変化させる電圧制御手段と、
前記画像信号の電圧と前記対向電極への印加電圧とが略同電圧とされた後に前記走査線
駆動回路による選択が総ての走査線について実行されてから、前記走査線駆動回路および
前記データ線駆動回路の動作を停止させる停止手段と、
前記走査線駆動回路および前記データ線駆動回路の動作が停止された後に、これらの駆
動回路に対する給電を停止する給電制御手段と
を具備する電気光学装置の制御装置。
【請求項４】
前記電圧制御手段は、前記画像信号の電圧と前記対向電極への印加電圧とを電源電圧の
低位側に変化させる
請求項３に記載の電気光学装置の制御装置。
【請求項５】
複数の走査線および複数のデータ線の各交差に設けられたスイッチング素子を介して前
記走査線および前記データ線に電気的に接続された複数の画素電極と、電気光学物質を挟
んで前記複数の画素電極に対向する対向電極と、前記複数の走査線の各々を順次に選択し
て当該走査線に対応するスイッチング素子をオン状態とする走査線駆動回路と、前記走査
線駆動回路によりオン状態とされているスイッチング素子に接続された画素電極に対して
前記データ線および前記スイッチング素子を介して画像信号を供給するデータ線駆動回路
とを具備する電気光学装置を制御する装置において、
表示の開始を指示する表示開始信号が入力されると、前記画素電極に供給される画像信
号の電圧と前記対向電極への印加電圧とが略同電圧である状態において前記走査線駆動回
路による選択が総ての走査線について実行されてから、当該走査線駆動回路および前記デ
ータ線駆動回路の動作を停止させる停止手段と、
前記走査線駆動回路および前記データ線駆動回路の動作が停止された後に、前記対向電
極への印加電圧を所定値に向けて変化させる電圧制御手段と、
前記対向電極への印加電圧が前記所定値に到達した後に前記走査線駆動回路および前記
データ線駆動回路の動作を開始させる開始手段と
を具備する電気光学装置の制御装置。
【請求項６】
請求項３から５のいずれかに記載の制御装置を具備する電気光学装置。
【請求項７】
請求項６に記載の電気光学装置を備える電子機器。
【発明の詳細な説明】
【技術分野】
【０００１】
本発明は、電流の供給や電圧の印加といった電気的な作用を透過率や輝度の変化といっ
た光学的な作用に変換する電気光学物質を用いて画像を表示する技術に関する。
【背景技術】
【０００２】
電気光学物質を用いて画像を表示する種々の電気光学装置が提案されている。例えば電
気光学物質として液晶を用いた液晶装置は、各々がスイッチング素子を介して走査線およ
びデータ線に電気的に接続された複数の画素電極と、電気光学物質を挟んで画素電極と対
向する対向電極とを有する。この構成のもと、走査線を選択することによりスイッチング
素子がオン状態となっているときにデータ線に対して画像に応じた電圧を印加することに
より種々の画像が表示される。
【０００３】
この種の電気光学装置においては、画像の表示が終了された後にも各画素電極と対向電
極とに電荷が残留する場合が生じ得る。そして、このように残留した電荷（以下「残留電
荷」という場合がある）は種々の不具合の原因となる。例えば、電気光学装置に対する給
電が停止した後にも残留電荷に起因した直流電圧が液晶に印加され続けることにより、液
晶の配向方向が所期の方向とは異なる方向に変化し、これにより表示品位の低下が引き起
こされる。また、画像の表示を開始する段階において各電極に電荷が残留しているとすれ
ば、画像の表示に際して実際に液晶に印加される電圧が当該表示画像に応じた電圧とは残
留電荷の分だけ異なることになるから、表示された画像に対して残留電荷に起因した画像
（すなわち前回に電源がオフされた直前において表示されていた画像）が重畳されて残像
のように現れることとなる。これらの問題を解消するための技術として、画像表示を終了
するときに画素電極と対向電極とを同電圧とすることによって残留電荷の除去を図る種々
の技術が提案されている（例えば特許文献１参照）。
【０００４】
【特許文献１】特開２００１−１４７４１６号公報（段落００６５）
【発明の開示】
【発明が解決しようとする課題】
【０００５】
しかしながら、この種の技術を用いたとしても、以下に示すように必ずしも完全に残留
電荷を除去することができないという問題があった。すなわち、画素電極と対向電極とを
同電圧とした後に各駆動回路（走査線駆動回路やデータ線駆動回路）に対する給電を停止
すると、その停止に伴なって各部の電圧が瞬間的に変動し、この変動によって画素電極と
対向電極との間に電圧が印加される場合がある。このような場合には画素電極と対向電極
とに電荷が残存して電気光学物質に直流電圧が印加され続けることとなる。本発明は、こ
のような事情に鑑みてなされたものであり、その目的は、画像の表示に伴なって各電極に
蓄積された電荷を充分に除去することにより、電気光学物質の劣化や表示品位の低下など
残留電荷に起因した種々の不具合を防止することにある。
【課題を解決するための手段】
【０００６】
本発明は、複数の走査線および複数のデータ線の各交差に設けられたスイッチング素子
を介して走査線およびデータ線に電気的に接続された複数の画素電極と、電気光学物質を
挟んで複数の画素電極に対向する対向電極と、複数の走査線の各々を順次に選択して当該
走査線に対応するスイッチング素子をオン状態とする走査線駆動回路と、走査線駆動回路
によりオン状態とされているスイッチング素子に接続された画素電極に対してデータ線お
よびスイッチング素子を介して画像信号を供給するデータ線駆動回路とを具備する電気光
学装置に対して好適に採用される。
【０００７】
この種の電気光学装置において上記課題を解決すべく、本発明の第１の特徴は、表示の
停止を指示する表示停止信号が入力されると、画素電極に供給される画像信号の電圧と対
向電極への印加電圧とを略同電圧に変化させ、画像信号の電圧と対向電極への印加電圧と
が略同電圧とされた後に走査線駆動回路による選択が総ての走査線について実行されてか
ら、走査線駆動回路およびデータ線駆動回路の動作を停止させ、走査線駆動回路およびデ
ータ線駆動回路の動作が停止された後に、これらの駆動回路に対する給電を停止すること
にある。この発明によれば、画素電極に供給される画像信号の電圧と対向電極への印加電
圧とが略同電圧とされてから走査線駆動回路による選択が総ての走査線について実行され
るから、各画素電極および対向電極に蓄積された電荷を有効に除去することができる。し
かも、走査線駆動回路およびデータ線駆動回路の動作が停止した後に各駆動回路への給電
が停止されるから、給電の停止に際し各画素電極に対して突発的に電圧が印加されること
はない。したがって、各電極に蓄積された電荷が確実に除去され、電気光学物質の劣化（
さらには電気光学物質の劣化による表示品位の低下）など残留電荷に起因した種々の不具
合が防止される。
【０００８】
また、上記課題を解決するために、本発明の第２の特徴は、表示の開始を指示する表示
開始信号が入力されると、画素電極に供給される画像信号の電圧と対向電極への印加電圧
とが略同電圧である状態において走査線駆動回路による選択が総ての走査線について実行
されてから、当該走査線駆動回路およびデータ線駆動回路の動作を停止させ、走査線駆動
回路およびデータ線駆動回路の動作が停止された後に、対向電極への印加電圧を所定値に
向けて変化させ、対向電極への印加電圧が所定値に到達した後に走査線駆動回路およびデ
ータ線駆動回路の動作を開始させることにある。この発明によれば、画像信号の電圧と対
向電極への印加電圧とが略同電圧である状態において走査線駆動回路による選択が総ての
走査線について実行されるから、各画素電極および対向電極に蓄積されている電荷を画像
の表示に先立って有効に除去することができる。しかも、走査線駆動回路およびデータ線
駆動回路の動作がいったん停止された後に対向電極への印加電圧が所定値に向けて変化さ
せられ、その所定値に到達した後に走査線駆動回路およびデータ線駆動回路の動作が開始
されるから、給電の開始に伴なう対向電極への電圧印加に際し各画素電極に対して突発的
に電圧が印加されることはない。したがって、画像の表示が開始された直後における表示
品位の低下など残留電荷に起因した種々の不具合が防止される。
【０００９】
なお、本発明における電気光学物質とは、電気信号に応じて光学的な作用が変化する種
々の物質を意味する。ただし、本発明は、残留電荷に起因した特性の劣化が問題となる電
気光学物質を用いた電気光学装置（すなわち電気光学物質に対する直流電圧の印加を避け
ることが望ましい電気光学装置）に対して特に好適である。このような電気光学物質の典
型的な例としては液晶が挙げられるが、これ以外の電気光学物質にも本発明は適用され得
る。また、「画像信号の電圧と対向電極への印加電圧とを略同電圧に変化させる」とは、
両電極に蓄積された電荷が電気光学物質の劣化を引き起こさない程度に除去されるように
画像信号の電圧と対向電極への印加電圧とが接近または一致することを意味し、各電圧が
厳密な意味で一致する必要は必ずしもない。本発明の望ましい態様において、画像信号の
電圧および対向電極への印加電圧はともに電源電圧の低位側に略同時に変化させられる。
もっとも、変化後の電圧値はこれに限られない。
【００１０】
また、本発明は、第１または第２の特徴に係る手順によって電気光学装置を制御する装
置や、この制御装置を備えた電気光学装置としても特定され得る。さらに、本発明に係る
電気光学装置を備えた電子機器によれば、残留電荷に起因した表示品位の低下を防止して
高品位な表示が実現される。本発明に係る電子機器としては、例えば、本発明に係る電気
光学装置をライトバルブ（スクリーンに照射されるべき光を表示画像に応じて変調する手
段）として用いたプロジェクタや、本発明に係る電気光学装置を表示装置として用いたパ
ーソナルコンピュータなどの情報処理装置といった種々の電子機器がある。
【発明を実施するための最良の形態】
【００１１】
図面を参照しながら本発明を実施した具体的な形態を説明する。以下では、液晶を電気
光学物質として用いた液晶装置に本発明が適用された形態を例示するが、本発明の適用さ
れ得る範囲をこの装置に限定する趣旨ではない。また、以下に示す各図においては、各構
成要素を図面上で認識され得る程度の大きさとするため、各構成要素の寸法や比率を実際
のものとは適宜に異ならせてある。
【００１２】
図１は、本実施形態に係る液晶装置の電気的な構成を示すブロック図である。同図に示
されるように、この液晶装置１００は、制御装置１と、処理回路２と、電源回路３と、液
晶パネル４とを有する。このうち制御装置１は、液晶装置１００が搭載される電子機器の
ＣＰＵ（Central Processing Unit）など各種の上位装置から供給される制御信号（例え
ば、垂直走査信号、水平走査信号およびドットクロック信号）に基づいて、液晶装置１０
０の各部を制御するための信号を生成する装置である。なお、制御装置１の詳細について
は後述する。
【００１３】
処理回路２は、上位装置から供給される画像信号Ｖを液晶パネル４への供給に適した信
号に処理するための回路であり、Ｄ／Ａ（Digital to Analog）変換器２１、Ｓ／Ｐ（Ser
ial to Parallel）変換回路２２、および増幅・反転回路２３を有する。このうちＤ／Ａ
変換器２１は、上位装置から供給されたデジタルの画像信号Ｖをアナログの画像信号Ｖに
変換する。また、Ｓ／Ｐ変換回路２２は、アナログの画像信号Ｖが入力されると、図５に
示されるように、これをＮ（本実施形態においてはＮ＝６とする）系統に分配するととも
に、各系統の信号を時間軸方向にＮ倍に伸長（シリアルーパラレル変換）して出力する回
路である。一方、増幅・反転回路２３は、シリアル−パラレル変換された画像信号Ｖのう
ち極性反転が必要となる信号を反転させるとともに、各画像信号Ｖを適宜に増幅したうえ
で画像信号ＶＩＤ1ないしＶＩＤ6として液晶パネル４に出力する回路である。ここで、極
性反転とは、予め定められた電圧Ｖc（画像信号ＶＩＤ1ないしＶＩＤ6の振幅中心となる
電圧であり、本実施形態においては後述する対向電極に印加される電圧ＬＣcomとほぼ等
しい）を基準として、画像信号ＶＩＤ1ないしＶＩＤ6の電圧レベルを正極性および負極性
の一方から他方に交互に切り替えることを言う。極性反転の対象となる画像信号は、各画
素に電圧を印加する方式が、（１）走査線４１１ごとに極性を反転させる方式（いわゆる
行反転）であるか、（２）データ線４１２ごとに極性を反転させる方式（いわゆる列反転
）であるか、（３）隣接する画素ごとに極性を反転させる方式（いわゆる画素反転）であ
るかに応じて適宜に選定され、その反転周期は１水平走査期間またはドットクロック周期
に設定される。本実施形態においては、上記（１）のように走査線４１１ごとに極性を反
転させる方式が採用された場合を想定する。なお、以下では、画像信号ＶＩＤ1ないしＶ
ＩＤ6の何れかを特定する必要がない場合には単に「画像信号ＶＩＤ」と表記する。また
、ここではＳ／Ｐ変換処理や増幅・反転処理に先立ってＤ／Ａ変換処理を行なう構成を例
示したが、これらの処理の後にＤ／Ａ変換処理を行なう構成も採用され得る。一方、電源
回路３は、制御装置１や処理回路２、後述する走査線駆動回路６１やデータ線駆動回路６
３など液晶装置１００の各部に対して電源電圧の高位側および低位側（以下では各々を「
高位側電源電圧」および「低位側電源電圧」という）を供給する回路である。
【００１４】
次に、図２および図３（図２におけるIII−III線からみた断面図）を参照して液晶パネ
ル４の構成を説明する。これらの図に示されるように、液晶パネル４は、略長方形の枠状
に成形されたシール材４５を介して相互に対向するように配置された素子基板４１と対向
基板４２とを有する。素子基板４１および対向基板４２は、ガラスやプラスチックなどか
らなる板状またはフィルム状の部材である。両基板とシール材４５とによって囲まれた空
間には例えばＴＮ（Twisted Nematic）型の液晶４６が電気光学物質として封止されてい
る。
【００１５】
素子基板４１のうち対向基板４２と対向する板面には、シール材４５のうちＸ方向に延
びる一辺に沿ってデータ線駆動回路６３およびサンプリング回路６４が形成されている。
さらに、素子基板４１のうちデータ線駆動回路６３に近接する周縁の近傍には複数の接続
端子６８が形成されている。この周縁近傍にはフレキシブル配線基板（図示略）の一端が
接合され、その配線が各接続端子６８に接続される。フレキシブル配線基板の他端は、上
述した制御装置１と処理回路２と電源回路３とが実装されたプリント基板（図示略）に接
合されており、プリント基板上の各部と液晶パネル４の各部との電気的な導通が図られて
いる。また、素子基板４１のうちＹ方向に延びる２辺に沿った領域にはそれぞれ走査線駆
動回路６１が形成されており、Ｘ方向に延在する走査線が両側から駆動されるようになっ
ている。もっとも、走査線に供給される走査信号の遅延が問題にならないのであれば、走
査線駆動回路６１をひとつだけ設けた構成も採用され得る。
【００１６】
一方、対向基板４２のうち素子基板４１と対向する板面には対向電極４２１が設けられ
ている。この対向電極４２１は、対向基板４２の四隅のうち少なくとも１箇所に設けられ
た導通材（図示略）によって素子基板４１の接続端子６８と電気的に接続される。この構
成のもと、対向電極４２１には接続端子６８および導通材を介して制御装置１から電圧Ｌ
Ｃcomが印加される。さらに対向基板４２には、各画素に対応するように設けられて特定
の波長の光を選択的に透過させる着色層（カラーフィルタ）や、画素以外の領域と重なる
ように設けられて光を遮る遮光層が設けられる（いずれも図示略）。もっとも、後述する
プロジェクタ（図１０参照）のように特定の色に対応する波長の光を変調するために用い
られる場合には着色層が不要となる。また、素子基板４１および対向基板４２の各々のう
ち電極が形成された板面上には配向膜が形成される一方、その反対側の板面上には偏光子
が貼り付けられるが、本発明と直接には関係しないためその図示および説明を省略する。
【００１７】
次に、図４を参照して、素子基板４１に設けられた各要素の電気的な構成を説明する。
同図に示されるように、素子基板４１のうち画像の表示に供される領域（いわゆる表示領
域）には、Ｘ（行）方向に延在する複数の走査線４１１と、Ｙ（列）方向に延在する複数
のデータ線４１２とが形成されている。複数の走査線４１１と複数のデータ線４１２との
各交差には画素電極４１３が設けられている。各画素電極４１３は液晶４６を挟んで対向
電極４２１と対向する略矩形状の電極である。この構成のもと、画素電極４１３と対向電
極４２１と両電極により挟まれた液晶４６とによって画素ごとに容量（以下「液晶容量」
という）が形成される。各画素電極４１３は、薄膜トランジスタ（以下「ＴＦＴ（Thin F
ilm Transistor）」という）４１４を介して走査線４１１およびデータ線４１２に電気的
に接続されている。具体的には、ＴＦＴ４１４のゲートが走査線４１１に接続され、ソー
スがデータ線４１２に接続され、ドレインが画素電極４１３に接続されている。一方、各
データ線４１２はサンプリング回路６４を介してデータ線駆動回路６３に接続され、各走
査線４１１は走査線駆動回路６１に接続されている。これらの駆動回路を構成する素子は
、画素ごとに設けられたＴＦＴ４１４と共通の製造プロセスにて形成される。なお、以下
では、走査線４１１の総本数を「ｍ（ｍは２以上の自然数）」とし、データ線４１２の総
本数を「６ｎ（ｎは１以上の自然数）」とする。複数の画素電極４１３は、Ｘ方向および
Ｙ方向にわたってｍ行×６ｎ列のマトリクス状に配列することとなる。また、素子基板４
１上には、液晶容量のリークを防止するための蓄積容量４１６が画素ごとに形成されてい
る。この蓄積容量４１６の一端は画素電極４１３に接続され、他端は容量線４１７に接続
されている。この容量線４１７には接続端子６８を介して一定の電圧が印加されている。
本実施形態においては容量線４１７に電圧ＬＣcomが印加されている場合を想定するが、
高位側電源電圧や低位側電源電圧が印加される構成としてもよい。
【００１８】
走査線駆動回路６１は、複数の走査線４１１の各々を順次に選択する回路である。なお
、図４においては図面が煩雑になるのを防ぐためにひとつの走査線駆動回路６１のみが図
示されている。本実施形態における走査線駆動回路６１は、水平走査期間ごとに順次にア
クティブレベルになる走査信号Ｇj（ｊが１からｍまでの自然数）を各垂直走査期間にお
いて複数の走査線４１１の各々に出力する。さらに詳述すると、走査線駆動回路６１はシ
フトレジスタと複数の論理積回路とを有する（いずれも図示略）。このうちシフトレジス
タは、図５に示されるように、垂直走査期間の最初に供給される転送開始パルスＤＹをク
ロック信号ＣＬＹのレベルが遷移するたびに（立ち上がりおよび立下りの双方において）
順次にシフトして信号Ｇ1'、Ｇ2'、…、Ｇm'として出力する。各論理積回路は、信号Ｇ1'
、Ｇ2'、…、Ｇm'のうち相互に隣接する信号同士の論理積を求め、これにより得られた信
号を走査信号Ｇ1、Ｇ2、…、Ｇmとして出力する。そして、図３の上から数えてｊ番目の
走査線４１１に供給される走査信号Ｇjがアクティブレベルになると、その走査線４１１
に接続された１行分のＴＦＴ４１４が一斉にオン状態となる。
【００１９】
一方、データ線駆動回路６３は、各データ線４１２を介して画素電極４１３に電圧を印
加するための回路である。本実施形態におけるデータ線駆動回路６３は、走査線駆動回路
６１と同様にシフトレジスタと論理積回路とを有する（いずれも図示略）。このうちシフ
トレジスタは、図５に示されるように、水平走査期間の最初に供給される転送開始パルス
ＤＸをクロック信号ＣＬＸのレベルが遷移するたびに順次にシフトして信号Ｓ1'、Ｓ2'、
…、Ｓn'として出力する。各論理積回路は、信号Ｓ1'、Ｓ2'、…、Ｓn'のパルス幅を、相
互に隣接するパルス同士が重複しないように狭め、これにより得られた信号をサンプリン
グ信号Ｓ1、Ｓ2、…、Ｓnとして出力する。
【００２０】
次に、図４に示されるサンプリング回路６４は、６本の画像信号線６６を介して供給さ
れる画像信号ＶＩＤ1ないしＶＩＤ6をサンプリング信号Ｓ1、Ｓ2、…、Ｓnに従って各デ
ータ線４１２にサンプリングする回路であり、データ線４１２ごとにサンプリングスイッ
チ６４１を有する。ここで、計６ｎ本のデータ線４１２は６本ごとにひとつのブロックに
区分されている。これらのブロックのうち図３におけるｉ（ｉは１からｎまでの自然数）
番目のブロックに属するデータ線４１２に接続された６個のサンプリングスイッチ６４１
にはデータ線駆動回路６３からサンプリング信号Ｓiが供給される。この構成のもと、ｉ
番目のブロックに属する６本のデータ線４１２のうち最も左に位置するデータ線４１２に
接続されたサンプリングスイッチ６４１は、画像信号線６６を介して供給された画像信号
ＶＩＤ1をサンプリング信号Ｓiがアクティブレベルになる期間においてサンプリングして
当該データ線４１２に供給する。同様に、ｉ番目のブロックの左から２番目に位置するデ
ータ線４１２に接続されたサンプリングスイッチ６４１は、画像信号線６６を介して供給
された画像信号ＶＩＤ2をサンプリング信号Ｓiがアクティブレベルになる期間においてサ
ンプリングして当該データ線４１２に供給する。他のデータ線４１２についても同様であ
る。すなわち、ｉ番目のブロックの左から３、４、５、６番目のデータ線４１２に接続さ
れた各サンプリングスイッチ６４１は、それぞれ画像信号ＶＩＤ3、ＶＩＤ4、ＶＩＤ5、
ＶＩＤ6をサンプリングしてデータ線４１２に出力する。
【００２１】
以上に説明した構成のもと、ある水平走査期間において走査信号Ｇjがアクティブレベ
ルとなってｊ行目に属する６ｎ個のＴＦＴ４１４がオン状態になると、各ブロックに属す
る６個のサンプリングスイッチ６４１がサンプリング信号Ｓ1ないしＳnによってブロック
ごとにオン状態となり、当該ブロックに属する６本のデータ線４１２に対して画像信号Ｖ
ＩＤ1ないしＶＩＤ6が一斉に供給される。この結果、ｊ行目の走査線４１１が選択される
水平走査期間においては、当該走査線４１１に接続された６ｎ個の画素電極４１３に対し
て画像信号ＶＩＤ1ないしＶＩＤ6に応じた電圧がブロックごとに印加されることとなる。
さらに、この走査期間において各画像信号ＶＩＤの極性が正極性であったとすれば、次の
走査期間において画像信号ＶＩＤの極性は増幅・反転回路２３によって負極性とされる。
このような動作が各垂直走査期間において繰り返される結果、ｍ行×６ｎ列の総ての画素
の画素電極４１３に対して画像信号ＶＩＤに応じた電圧が印加され、各画素電極４１３と
対向電極４２１との電位差に応じて液晶４６の配向方向が変化させられることによって画
像が表示されるのである。
【００２２】
図３に示される制御装置１は、上述したように、クロック信号ＣＬＹと転送開始パルス
ＤＹとを走査線駆動回路６１に供給するとともにクロック信号ＣＬＸと転送開始パルスＤ
Ｘとをデータ線駆動回路６３に供給し、さらには画像信号ＶＩＤの極性反転処理といった
処理回路２の動作を制御する。さらに、制御装置１には、表示の開始を指示する信号（以
下「動作開始信号」という）と表示の停止を指示する信号（以下「動作停止信号」という
）とが入力される。例えば、画像の表示動作が実行されているときに、液晶装置１００が
搭載された電子機器の操作子（電源ボタン）が利用者によって押下されると、これを検知
したＣＰＵなどの上位装置が制御装置１に対して動作停止信号を出力する。一方、画像の
表示動作が実行されていないときに、電子機器の操作子が利用者によって押下されると、
これを検知した上位装置が制御装置１に対して動作開始信号を出力する。
【００２３】
こうして動作開始信号または動作停止信号が入力されると、制御装置１は、液晶容量と
蓄積容量４１６と（以下ではこれらを総称して「画素容量」という）に残留した電荷を除
去するために以下に説明する一連の処理を実行するようになっている。なお、以下では、
動作停止信号が入力されたときに実行される動作（以下「動作停止シーケンス」という）
と、動作開始信号が入力されたときに実行される動作（以下「動作開始シーケンス」とい
う）とに分けて説明する。図６および図７は動作停止シーケンスの内容を説明するための
図であり、図８および図９は動作開始シーケンスの内容を説明するための図である。
【００２４】
（１）動作停止シーケンス  
図６および図７に示されるように、動作停止信号が入力されると、制御装置１はまず、
画像信号ＶＩＤ1ないしＶＩＤ6の電圧および対向電極４２１への印加電圧をともに低位側
電源電圧（接地電位）ＧＮＤに変化させる（ステップＳａ１）。さらに詳述すると、制御
装置１は、対向電極４２１への印加電圧を電圧ＬＣcomから低位側電源電圧ＧＮＤに変化
させるとともに、画像信号ＶＩＤ1ないしＶＩＤ6の電圧の低下を指示する信号を処理回路
２に出力する。この信号が入力されると、処理回路２の増幅・反転回路２３は、それ以後
にＳ／Ｐ変換回路２２から供給される画像信号ＶＩＤ1ないしＶＩＤ6の内容に拘わらず、
総ての画像信号線６６の電圧を低位側電源電圧ＧＮＤに低下させる。
【００２５】
このステップＳａ１の処理が実行された直後においても、走査線駆動回路６１およびデ
ータ線駆動回路６３は通常の画像表示時と同様の動作を繰り返す。すなわち、走査線駆動
回路６１は、図７に示されるように、水平走査期間ごとに走査信号Ｇ1、Ｇ2、…、Ｇmを
順次にアクティブレベルとして各行のＴＦＴ４１４をオン状態とする。また、データ線駆
動回路６３は、各行のＴＦＴ４１４がオン状態となる水平走査期間においてサンプリング
信号Ｓ1、Ｓ2、…、Ｓnをアクティブレベルとしてサンプリングスイッチ６４１をオン状
態とする。ただし、ステップＳａ１において総ての画像信号線６６の電圧は低位側電源電
圧ＧＮＤに設定されているから、選択された走査線４１１に接続された１行分の画素電極
４１３と蓄積容量４１６の一端とにはデータ線４１２およびＴＦＴ４１４を介して低位側
電源電圧ＧＮＤが印加されることとなる。一方、対向電極４２１への印加電圧も同様にス
テップＳａ１にて低位側電源電圧ＧＮＤに設定されているから、それまでの表示において
画素容量（液晶容量および蓄積容量４１６）に蓄積されていた電荷は完全に除去される。
【００２６】
一方、ステップＳａ１の処理を実行すると、制御装置１は、ステップＳａ１において画
像信号ＶＩＤ1ないしＶＩＤ6の電圧と対向電極４２１への印加電圧とが同電圧とされた後
に少なくとも１垂直走査期間に相当する時間が経過するまで、すなわちステップＳａ１の
後に総ての画素に対して少なくとも１回の走査が実行されるまで待機する（ステップＳａ
２）。本実施形態においては、制御装置１は、動作停止信号が入力された垂直走査期間の
次の垂直走査期間において１行目の走査線４１１からｍ行目の走査線４１１までの走査が
実行されるまで待機する。そして、少なくとも１垂直走査期間に相当する時間が経過して
総ての画素の画素電極４１３および蓄積容量４１６の一端に低位側電源電圧ＧＮＤが印加
されると、制御装置１は、走査線駆動回路６１およびデータ線駆動回路６３の動作を停止
させる（ステップＳａ３）。より具体的には、制御装置１は、走査線駆動回路６１に対す
る転送開始パルスＤＹの出力、およびデータ線駆動回路６３に対する転送開始パルスＤＸ
の出力を停止する。この結果、図７に示されるように、総ての走査信号Ｇ1、Ｇ2、…、Ｇ
mと総てのサンプリング信号Ｓ1、Ｓ2、…、Ｓnとは非アクティブレベルに維持され、走査
線駆動回路６１による選択動作およびサンプリング回路６４によるサンプリング動作が停
止する。
【００２７】
その後、制御装置１は、走査線駆動回路６１およびデータ線駆動回路６３に対する給電
を停止させる（ステップＳａ４）。このステップＳａ４において、制御装置１は、走査線
駆動回路６１およびデータ線駆動回路６３に対する給電の停止を指示する信号を電源回路
３に出力する。電源回路３は、この信号が供給されることにより各駆動回路に対する給電
を停止する。このように、本実施形態においては、動作停止信号が入力されると、走査線
駆動回路６１およびデータ線駆動回路６３の動作が停止して画素に電圧が印加されない状
態になった段階で各駆動回路への給電が停止されるから、給電の停止に伴なう電圧の変動
によって各画素電極４１３に低位側電源電圧ＧＮＤ以外の電圧が印加されることはない。
したがって、各電極に蓄積された電荷が確実に除去され、残留電荷に起因した種々の不具
合が未然に防止される。
【００２８】
（２）動作開始シーケンス
一方、図８に示されるように、動作開始信号が入力されると、制御装置１は、走査線駆
動回路６１およびデータ線駆動回路６３に対する給電を電源回路３に開始させたうえで走
査線駆動回路６１およびデータ線駆動回路６３を動作させる（ステップＳｂ１）。すなわ
ち、制御装置１は、クロック信号ＣＬＹと転送開始パルスＤＹとを走査線駆動回路６１に
供給し始めるとともに、クロック信号ＣＬＸと転送開始パルスＤＸとをデータ線駆動回路
６３に供給し始める。この結果、走査線駆動回路６１は、水平走査期間ごとに走査信号Ｇ
1、Ｇ2、…、Ｇmを順次にアクティブレベルとして各行のＴＦＴ４１４をオン状態にする
。また、データ線駆動回路６３は、各行のＴＦＴ４１４がオン状態になっている水平走査
期間においてサンプリング信号Ｓ1、Ｓ2、…、Ｓnを順次にアクティブレベルとしてサン
プリングスイッチ６４１をオン状態にする。上述した動作停止シーケンスが実行された後
に総ての画像信号線６６は低位側電源電圧ＧＮＤとなっているから、選択された走査線４
１１に対応する１行分の画素の画素電極４１３と蓄積容量４１６の一端とにはデータ線４
１２およびＴＦＴ４１４を介して低位側電源電圧ＧＮＤが印加されることとなる。一方、
対向電極４２１の電圧も画像信号線６６と同様に低位側電源電圧ＧＮＤに維持されている
。したがって、前回の表示動作に際して画素容量に蓄えられた電荷が仮に動作開始時に残
存していたとしても、この残留電荷はステップＳｂ１における走査線駆動回路６１および
データ線駆動回路６３の動作に伴なって完全に除去される。
【００２９】
次いで、制御装置１は、ステップＳｂ１において走査線駆動回路６１およびデータ線駆
動回路６３に動作を開始させてから少なくとも１垂直走査期間に相当する時間が経過する
まで、すなわちステップＳｂ１の後に総ての画素に対して少なくとも１回の操作が実行さ
れるまで待機する（ステップＳｂ２）。本実施形態においては、動作開始信号が入力され
た後に１行目の走査線４１１が選択されてからｍ行目の走査線４１１が選択されるまで（
すなわち１垂直走査期間だけ）待機する。そして、少なくとも１垂直走査期間に相当する
時間が経過して総ての画素電極４１３と総ての蓄積容量４１６の一端とに低位側電源電圧
ＧＮＤが印加されると、制御装置１は、走査線駆動回路６１およびデータ線駆動回路６３
の動作を停止させる（ステップＳｂ３）。より具体的には、制御装置１は、走査線駆動回
路６１に対する転送開始パルスＤＹの出力、およびデータ線駆動回路６３に対する転送開
始パルスＤＸの出力を停止する。この結果、この結果、図９に示されるように、総ての走
査信号Ｇ1、Ｇ2、…、Ｇmと総てのサンプリング信号Ｓ1、Ｓ2、…、Ｓnとは非アクティブ
レベルに維持され、走査線駆動回路６１による選択動作およびサンプリング回路６４によ
るサンプリング動作が停止する。
【００３０】
この後、制御装置１は、対向電極４２１の電圧を所定値に向けて変化させ始めるととも
に、画像信号線６６の電圧を画像信号ＶＩＤ1ないしＶＩＤ6に応じた電圧に変化させるた
めの信号を処理回路２に出力する（ステップＳｂ４）。この信号が入力されると、処理回
路２の増幅・反転回路２３は、各画像信号線６６の電圧をそれ以後にＳ／Ｐ変換回路２２
から供給される画像信号ＶＩＤ1ないしＶＩＤ6の電圧に設定する。一方、図９に示される
ように、対向電極４２１の電圧は徐々に所期の電圧ＬＣcomに近づいていく。続いて、制
御装置１は、対向電極４２１の電圧が所定電圧ＬＣcomに到達するまで待機する（ステッ
プＳｂ５）。そして、対向電極４２１の電圧が所定電圧ＬＣcomに到達すると、制御装置
１は、走査線駆動回路６１およびデータ線駆動回路６３の動作を再開させる（ステップＳ
ｂ６）。すなわち、制御装置１は、走査線駆動回路６１に対する転送開始パルスＤＹの供
給とデータ線駆動回路６３に対する転送開始パルスＤＸの供給とを開始する。これにより
上述した通常表示動作が開始される。このように、本実施形態においては、動作開始信号
が入力されると、各画素の液晶容量および蓄積容量４１６に蓄積されている電荷が除去さ
れた後に走査線駆動回路６１およびデータ線駆動回路６３の動作が停止して画素に対して
電圧が印加されない状態になった段階で対向電極４２１および各画像信号線６６の電圧が
所期値まで上昇させられるから、この電圧の変化に伴なって各画素電極４１３に電圧が印
加されることはない。したがって、各電極に蓄積された電荷が確実に除去され、残留電荷
に起因した種々の不具合が未然に防止される。
【００３１】
＜Ｂ：変形例＞
以上に説明した実施形態はあくまでも例示である。この形態に対しては本発明の趣旨か
ら逸脱しない範囲で種々の変形が加えられ得る。具体的には、以下のような変形例が考え
られる。
【００３２】
（１）上記実施形態においては動作停止信号および動作開始信号が利用者による操作に伴
なって入力される構成を例示したが、これらの信号が入力される契機となる要素は利用者
による操作に限られない。例えば、ＣＰＵなどの上位装置が各種のソフトウェアの実行に
伴なって動作停止信号または動作開始信号を出力する構成としてもよいし、電子機器に設
けられた種々のセンサからの検出信号に基づいて上位装置が動作停止信号または動作開始
信号を出力する構成としてもよい。例えば、直前に利用者が操作子を操作してから何らの
操作も与えられることなく所定の時間が経過した場合に上位装置から動作停止信号が出力
される構成も採用され得る。また、電気光学装置が格納された表示ユニットと種々の操作
子が配設された操作ユニットとがヒンジを介して接続されたいわゆる折畳式の電子機器（
典型的には携帯電話機）においては、両ユニットとが折り畳まれたことを検知すると上位
装置が動作停止信号を出力する一方、両ユニットが開かれたことを検知すると上位装置が
動作開始信号を出力する構成も採用され得る。
【００３３】
（２）上記実施形態においては転送開始パルスＤＹおよび転送開始パルスＤＸの出力を停
止することによって走査線駆動回路６１およびデータ線駆動回路６３の動作を停止させる
構成を例示したが、各駆動回路の動作を停止させる方法はこれに限られない。例えば、転
送開始パルスＤＹおよび転送開始パルスの供給を停止する構成に代えて、またはこの構成
とともに、クロック信号ＣＬＸおよびクロック信号ＣＬＹの供給を停止する構成も採用さ
れ得る。
【００３４】
（３）上記実施形態においては、動作停止シーケンスにおいて各データ線４１２および対
向電極４２１の電圧を低位側電源電圧ＧＮＤに変化させる構成を例示したが、これ以外の
電圧に変化させる構成としてもよい。要するに、各画素電極４１３と対向電極４２１とに
蓄えられた電荷が除去されるように各データ線４１２と対向電極４２１とが略同電圧に変
化させられる構成であれば足りる。
【００３５】
（４）上記実施形態においては、動作停止シーケンスおよび動作開始シーケンスの双方を
実行する構成を例示したが、何れか一方のみを実行する構成も採用され得る。もっとも、
双方を実行する構成によれば、何れか一方のみを実行する構成と比較して、画素容量に蓄
積された電荷をより確実に除去することができるという利点がある。
【００３６】
（５）上記実施形態においては、制御装置１、処理回路２、電源回路３、走査線駆動回路
６１、データ線駆動回路６３およびサンプリング回路６４を別個の集積回路として構成し
たが、これらの回路の一部または全部を単一の集積回路として構成してもよい。また、制
御装置１の機能は、専用のハードウェアのみによって実現されてもよいし、ＣＰＵなどの
演算制御装置がプログラムを実行することによって実現されてもよい。
【００３７】
＜Ｃ：電子機器＞
次に、本発明に係る電気光学装置を有する電子機器について説明する。
【００３８】
（１）プロジェクタ  
図１０は、本発明に係る電気光学装置（ここでは上記実施形態に係る液晶装置）をライ
トバルブとして用いたプロジェクタの構成を示す平面図である。同図に示されるように、
プロジェクタ２１００は、ハロゲンランプなどの白色光源からなるランプユニット２１０
２を有する。このランプユニット２１０２から出射した投射光は、３枚のミラー２１０４
および２枚のダイクロイックミラー２１０８によって赤色（Ｒ）、緑色（Ｇ）および青色
（Ｂ）の３原色に対応する波長の光に分離され、各色に対応するライトバルブ１００Ｒ、
１００Ｇおよび１００Ｂにそれぞれ導かれる。なお、青色に対応する光は、他色に対応す
る光と比較して光路が長いので、その損失を防ぐためにリレーレンズ系２１２１を介して
ライトバルブ１００Ｂに導かれる。リレーレンズ系２１２１は、入射レンズ２１２２、リ
レーレンズ２１２３および出射レンズ２１２４からなる。
【００３９】
ここで、ライトバルブ１００Ｒ、１００Ｇおよび１００Ｂは上記実施形態に係る液晶パ
ネル４と同様の構成を有し、処理回路２から供給される赤色、緑色および青色の各色に対
応する画像信号によって各々が駆動される。これらのライトバルブ１００Ｒ、１００Ｇお
よび１００Ｂによって変調された光は、ダイクロイックプリズム２１１２に異なる方向か
ら入射する。そして、このダイクロイックプリズム２１１２において、赤色および青色の
光は９０度だけ屈折させられる一方、緑色の光は直進する。この構成のもと、各色の画像
を合成したカラー画像が投射レンズ２１１４によってスクリーン２１２０に投射される。
【００４０】
（２）パーソナルコンピュータ  
まず、本発明に係る電気光学装置を、可搬型のパーソナルコンピュータ（いわゆるノー
ト型パソコン）の表示部に適用した例について説明する。図１１は、このパーソナルコン
ピュータの構成を示す斜視図である。同図に示すように、パーソナルコンピュータ２２０
０は、キーボード２２０２を備えた本体部２２０４と、上記実施形態に係る液晶装置１０
０を備えた表示部２２０６とを有する。
【００４１】
なお、本発明に係る電気光学装置が利用され得る電子機器としては、図１０に示される
プロジェクタや図１１に示されるパーソナルコンピュータのほかにも、液晶テレビ、ビュ
ーファインダ型（またはモニタ直視型）のビデオレコーダ、カーナビゲーション装置、ペ
ージャ、電子手帳、電卓、ワードプロセッサ、ワークステーション、テレビ電話、ＰＯＳ
端末、タッチパネルを備えた機器等などが挙げられる。
【図面の簡単な説明】
【００４２】
【図１】本発明の実施形態に係る液晶装置の構成を示すブロック図である。
【図２】同液晶装置のうち液晶パネルの構成を示す斜視図である。
【図３】図２におけるIII−III線からみた断面図である。
【図４】同液晶パネルのうち素子基板に設けられた要素の電気的な構成を示すブロック図である。
【図５】走査線駆動回路およびデータ線駆動回路の動作を説明するためのタイミングチャートである。
【図６】動作停止シーケンスの内容を示すフローチャートである。
【図７】動作停止シーケンスが実行されるときの各信号の波形を示すタイミングチャートである。
【図８】動作開始シーケンスの内容を示すフローチャートである。
【図９】動作開始シーケンスが実行されるときの各信号の波形を示すタイミングチャートである。
【図１０】本発明に係る電子機器の一例たるプロジェクタの構成を示す平面図である。
【図１１】本発明に係る電子機器の一例たるパーソナルコンピュータの構成を示す斜視図である。
【符号の説明】
【００４３】
１００……液晶装置（電気光学装置）、１……制御装置、２……処理回路、３……電源
回路、４……液晶パネル、４１……素子基板、４１１……走査線、４１２……データ線、
４１３……画素電極、４１４……ＴＦＴ（スイッチング素子）、４１６……蓄積容量、４
１７……容量線、４２……対向基板、４２１……対向電極、６１……走査線駆動回路、６
３……データ線駆動回路、６４……サンプリング回路、６６……画像信号線、４５……シ
ール材、４６……液晶（電気光学物質）。
【図１】
2005134458.tif 000003
【図２】
2005134458.tif 000004
【図３】
2005134458.tif 000005
【図４】
2005134458.tif 000006
【図５】
2005134458.tif 000007
【図６】
2005134458.tif 000008
【図７】
2005134458.tif 000009
【図８】
2005134458.tif 000010
【図９】
2005134458.tif 000011
【図１０】
2005134458.tif 000012
【図１１】
2005134458.tif 000013